(57)【特許請求の範囲】
【請求項１】
放送を受信する放送受信装置であって、
放送を受信する第１の受信系と、
放送を受信する第２の受信系と、
前記第１の受信系と第２の受信系とを用いて放送のダイバーシティ受信を行うダイバーシティ受信部と、
受信した放送の内容を出力する出力手段と、
制御部とを有し、
前記制御部は、動作モードとして第１の動作モードと第２の動作モードを有し、
前記第１の動作モードにおいて、制御部は、前記第１の受信系と前記第２の受信系の一方を現用受信系とし他方をバックグランド受信系として、前記現用受信系に受信対象の放送を受信させ、前記現用受信系が受信した放送の内容を前記出力手段に出力させると共に、前記バックグランド受信系に前記受信対象の放送と同じ内容を放送している各放送の受信状態を検出させ、所定の契機で、受信対象の放送を、当該放送と同じ内容を放送している受信状態の良好な放送のいずれかに変更し、
前記第２の動作モードにおいて、制御部は、前記ダイバーシティ受信部に、前記第１の受信系と第２の受信系とを用いた受信対象の放送のダイバーシティ受信を行せると共に、前記ダイバーシティ受信部が受信した放送の内容を前記出力手段に出力させ、
かつ、
前記制御部は、動作モードが第１の動作モードにあるときに、前記現用受信系における受信対象の放送の受信状態が予め定めた第１レベルより劣化した場合に、前記バックグランド受信系が検出した受信状態が予め定めた第２レベルより良好な前記受信対象の放送と同じ内容を放送している放送である代替放送候補が存在しない場合に、動作モードを第２の動作モードに切り替え、前記代替放送候補が存在する場合に、動作モードを第１の動作モードに維持し、
かつ、
当該制御部は、動作モードが第１の動作モードにあるときに、前記現用受信系における受信対象の放送の受信状態が予め定めた第１レベルより劣化していない場合には、動作モードを第１の動作モードに維持することを特徴とする放送受信装置。
【請求項２】
請求項１記載の放送受信装置であって、
前記第１の動作モードにおいて、制御部は、前記受信対象の放送の前記現用受信系における受信状態よりも受信状態が良好な前記受信対象の放送と同じ内容を放送している放送である代替放送が前記バックグランド受信系で検出されたことを前記所定の契機として、受信対象の放送を、当該代替放送に変更することを特徴とする放送受信装置。
【請求項３】
請求項１または２記載の放送受信装置であって、
前記制御部は、動作モードが第２の動作モードにあるときに、当該第２の動作モードの継続時間が所定時間を経過した場合と、前記ダイバーシティ受信部のダイバーシティ受信によって受信対象の放送を正常に受信できなくなった場合とのうちの少なくとも一方の場合に、動作モードを第１の動作モードに切り替えることを特徴とする放送受信装置。
【請求項４】
請求項１、２または３記載の放送受信装置であって、
前記放送は、FMオーディオ放送またはデジタルオーディオ放送であることを特徴とする放送受信装置。
【請求項５】
放送を受信する第１の受信系と、放送を受信する第２の受信系と、前記第１の受信系と第２の受信系とを用いて放送のダイバーシティ受信を行うダイバーシティ受信部と、受信した放送の内容を出力する出力手段とを備えた放送受信装置において、放送の受信を制御する放送受信制御方法であって、
前記放送受信装置が、動作モードとして第１の動作モードが設定されている期間中、前記第１の受信系と前記第２の受信系の一方を現用受信系とし他方をバックグランド受信系として、前記現用受信系に受信対象の放送を受信させ、前記現用受信系が受信した放送の内容を前記出力手段に出力させると共に、前記バックグランド受信系に前記受信対象の放送と同じ内容を放送している各放送の受信状態を検出させ、所定の契機で、受信対象の放送を、当該放送と同じ内容を放送している受信状態の良好な放送のいずれかに変更するステップと
前記放送受信装置が、動作モードとして第２の動作モードが設定されている期間中、前記ダイバーシティ受信部に、前記第１の受信系と第２の受信系とを用いた受信対象の放送のダイバーシティ受信を行せると共に、前記ダイバーシティ受信部が受信した放送の内容を前記出力手段に出力させるステップと、
前記放送受信装置が、動作モードが第１の動作モードにあるときに、前記現用受信系における受信対象の放送の受信状態が予め定めた第１レベルより劣化した場合に、前記バックグランド受信系が検出した受信状態が予め定めた第２レベルより良好な前記受信対象の放送と同じ内容を放送している放送である代替放送候補が存在しない場合に、動作モードを第２の動作モードに切り替え、前記代替放送候補が存在する場合に、動作モードを第１の動作モードに維持するステップとを有し、
前記放送受信装置は、動作モードが第１の動作モードにあるときに、前記現用受信系における受信対象の放送の受信状態が予め定めた第１レベルより劣化していない場合には、動作モードを第１の動作モードに維持することを特徴とする放送受信制御方法。
【請求項６】
請求項５記載の放送受信制御方法であって、
前記放送受信装置が、前記第１の動作モードが設定されている期間中に、前記受信対象の放送の前記現用受信系における受信状態よりも受信状態が良好な前記受信対象の放送と同じ内容を放送している放送である代替放送が前記バックグランド受信系で検出されたことを前記所定の契機として、受信対象の放送を、当該代替放送に変更するステップとを有することを特徴とする放送受信制御方法。
【発明の詳細な説明】
【技術分野】
【０００１】
本発明は、放送受信装置において、受信中の放送サービスから、当該放送サービスと同内容の放送を行っている放送サービスに、受信する放送サービスを切り替える技術に関するものである。
【背景技術】
【０００２】
放送受信装置において、受信中の放送サービスから、当該放送サービスと同内容の放送を行っている放送サービスに、受信する放送サービスを切り替える技術としては、ＤＡＢ（デジタルオーディオ放送：Digital Audio Broadcasting）を受信するラジオ放送受信装置において、受信中のＤＡＢのサービスから、当該ＤＡＢのサービスと同内容の放送を行っているＤＡＢのサービスに受信対象とする放送サービスを切り替える技術が知られている（たとえば、特許文献１）。
【０００３】
また、ＤＡＢとＦＭ放送とを受信するラジオ放送受信装置において、受信中のＤＡＢのサービスから、当該ＤＡＢのサービスと同内容の放送を行っているＦＭ放送のステーションに受信対象とする放送サービスを切り替える技術も知られている（たとえば、特許文献２）。
【０００４】
また、ラジオ放送受信装置において、受信品質を向上する技術としては、ＭＲＣ（最大比合成：Maximum Ratio Combining）法に基づくダイバーシティ受信の技術が知られている（たとえば、特許文献３、４）。ＭＲＣ法は、基本的には、各アンテナに対応する受信系で受信した放送信号の位相を同期させ、その受信レベルに応じた重み付けを行って放送信号の合成を行うものである。
【先行技術文献】
【特許文献】
【０００５】
【特許文献１】特開平１０  -２００４９９号公報
【特許文献２】特開平１１  -３４０８５３号公報
【特許文献３】特開２０１５-  ２９１６４号公報
【特許文献４】特開２０１０-２２６２３３号公報
【発明の概要】
【発明が解決しようとする課題】
【０００６】
ＤＡＢを受信する受信系を２系統備えたラジオ受信装置において、一方の受信系をＤＡＢのサービスの受信に用いると共に、他方の受信系を受信中のＤＡＢのサービスと同内容の放送を行っているＤＡＢのサービスのサーチに用いつつ、受信中のＤＡＢのサービスよりも受信状態のよい他のＤＡＢのサービスが発見されたときに、当該他のＤＡＢのサービスに受信対象とするＤＡＢのサービスを切り替えるＤＡＢフォロー動作を行うことが考えられる。
【０００７】
また、このようなラジオ受信装置において、受信中のＤＡＢのサービスの受信品質が劣化したときに、２系統の受信系を用いてダイバーシティ受信を行って、受信中のＤＡＢのサービスの受信品質を向上することが考えられる。
【０００８】
しかし、このようにすると、ＭＲＣ法に基づくダイバーシティ受信を行っている期間中は、受信中のＤＡＢのサービスと同内容の放送を行っているＤＡＢのサービスのサーチを行うことができなくなるため、上述したＤＡＢフォロー動作の有益性を阻害する以下のような問題が生じる。
【０００９】
すなわち、ダイバーシティ受信を行っている期間中に、受信中のＤＡＢのサービスと同内容の放送を行っている、より良い受信状態で受信できる他のＤＡＢのサービスが発生しても、すみやかに、当該他のＤＡＢのサービスに受信対象とするＤＡＢのサービスを切り替えることができない。
【００１０】
また、この場合には、たとえば、ダイバーシティ受信によっても正常にＤＡＢのサービスを受信できくなった等の理由によりダイバーシティ受信を終了した後に、受信中のＤＡＢのサービスよりも受信状態のよい他のＤＡＢのサービスのサーチを開始することとなるため、ダイバーシティ受信を終了時点から当該他のＤＡＢのサービスを発見するまでの間、ＤＡＢのサービスの受信が中断してしまうこととなる。
【００１１】
そこで、本発明は、放送サービスを受信する受信系を２系統備え、一方の受信系を放送サービスの受信に用い、他方の受信系を受信中の放送サービスと同内容の放送を行っている放送サービスのサーチに用いつつ、受信中の放送のサービスよりも受信状態のよい他の放送サービスに受信対象とする放送サービスを切り替える放送サービスフォロー動作を行う放送受信装置において、当該放送サービスフォロー動作の有益性をできるだけ損なわないようにダイバーシティ受信を行うことを課題とする。
【課題を解決するための手段】
【００１２】
前記課題達成のために、本発明は、放送を受信する放送受信装置に、放送を受信する第１の受信系と、放送を受信する第２の受信系と、前記第１の受信系と第２の受信系とを用いて放送のダイバーシティ受信を行うダイバーシティ受信部と、受信した放送の内容を出力する出力手段と、制御部とを備えたものである。ここで、前記制御部は、動作モードとして第１の動作モードと第２の動作モードを有し、前記第１の動作モードにおいて、制御部は、前記第１の受信系と前記第２の受信系の一方を現用受信系とし他方をバックグランド受信系として、前記現用受信系に受信対象の放送を受信させ、前記現用受信系が受信した放送の内容を前記出力手段に出力させると共に、前記バックグランド受信系に前記受信対象の放送と同じ内容を放送している各放送の受信状態を検出させ、所定の契機で、受信対象の放送を、当該放送と同じ内容を放送している受信状態の良好な放送のいずれかに変更し、前記第２の動作モードにおいて、制御部は、前記ダイバーシティ受信部に、前記第１の受信系と第２の受信系とを用いた受信対象の放送のダイバーシティ受信を行せると共に、ダイバーシティ受信部が受信した放送の内容を前記出力手段に出力させる。また、前記制御部は、動作モードが第１の動作モードにあるときに、前記現用受信系における受信対象の放送の受信状態が予め定めた第１レベルより劣化した場合に、前記バックグランド受信系が検出した受信状態が予め定めた第２レベルより良好な前記受信対象の放送と同じ内容を放送している放送である代替放送候補が存在しない場合に、動作モードを第２の動作モードに切り替え、前記代替放送候補が存在する場合に、動作モードを第１の動作モードに維持する。
【００１３】
ここで、このような放送受信装置は、前記第１の動作モードにおいて、制御部が、前記受信対象の放送の前記現用受信系における受信状態よりも受信状態が良好な前記受信対象の放送と同じ内容を放送している放送である代替放送が前記バックグランド受信系で検出されたことを前記所定の契機として、受信対象の放送を、当該代替放送に変更するように構成してもよい。
【００１４】
また、以上の放送受信装置は、前記制御部において、動作モードが第２の動作モードにあるときに、当該第２の動作モードの継続時間が所定時間を経過した場合と、前記ダイバーシティ受信部のダイバーシティ受信によって受信対象の放送を正常に受信できなくなった場合とのうちの少なくとも一方の場合に、動作モードを第１の動作モードに切り替えるように構成してもよい。
【００１５】
また、以上の放送受信装置において、前記放送は、たとえば、FMオーディオ放送またはデジタルオーディオ放送であってよい。
以上のような放送受信装置によれば、放送を受信する受信系として第１の受信系と第２の受信系との２系統の受信系備え、一方の受信系を受信対象の放送の受信に用い、他方の受信系を受信対象の放送と同内容の放送を行っている放送のサーチに用いつつ、所定の契機で放送のサーチで検出された受信状態のよい他の放送に受信対象とする放送を切り替える第１の動作モードを備えた放送受信装置において、第１の動作モードで動作中に、受信対象の放送の受信状態が第１のレベルより劣化したときに、前記サーチで第２のレベルより良好な前記受信対象の放送と同じ内容を放送している放送である代替放送候補が検出されていない場合にのみ、第２の動作モードに遷移して、第１の受信系と第２の受信系とを用いたダイバーシティ受信を開始し、代替放送候補が検出されている場合には、第１の動作モードを維持する。
【００１６】
ここで、代替放送候補は、第２のレベルを適切に設定することにより、近い将来に良好に受信可能となる放送であることが期待できる放送とすることができる。したがって、本発明によれば、近い将来に良好に受信可能となることが期待できる放送がある場合に、当該放送の受信状態が良好となったときの当該放送への受信対象の放送の切り替えの待機を、ダイバーシティ受信の開始よりも優先して行うことができる。そして、このような動作により、ダイバーシティ受信の実行中に、受信対象放送と同内容を放送している受信状態が良好な放送が発生して、上述したような問題が発生してしまうことが抑制されることとなる。
【発明の効果】
【００１７】
以上のように、本発明によれば、放送サービスを受信する受信系を２系統備え、一方の受信系を放送サービスの受信に用い、他方の受信系を受信中の放送サービスと同内容の放送を行っている放送サービスのサーチに用いつつ、受信中の放送のサービスよりも受信状態のよい他の放送サービスに受信対象とする放送サービスを切り替える放送サービスフォロー動作を行う放送受信装置において、当該放送サービスフォロー動作の有益性をできるだけ損なわないようにダイバーシティ受信を行うことができる。
【図面の簡単な説明】
【００１８】
【図１】本発明の実施形態に係るラジオ放送受信装置の構成を示すブロック図である。
【図２】本発明の実施形態に係るモード切替処理を示すフローチャートである。
【図３】本発明の実施形態にラジオ放送受信装置の受信動作例を示す図である。
【発明を実施するための形態】
【００１９】
以下、本発明の実施形態について説明する。
図１に、本実施形態に係るラジオ放送受信装置の構成を示す。
ここで、本実施形態に係るラジオ放送受信機は、自動車に搭載されるラジオ受信機やポータブルラジオ受信機などの、ラジオ放送受信機の位置が変動するラジオ放送受信機である。
そして、図示するように、ラジオ放送受信機は、第１ＤＡＢチューナ１、第２ＤＡＢチューナ２、ＦＭチューナ３、出力セレクタ４、アンプ５、スピーカ６、制御部７、表示部８、操作部９を備えている。
【００２０】
ここで、第２ＤＡＢチューナ２は、ＤＡＢの放送規格によるラジオ放送を受信する受信部であり、制御部７から受信サービスとして設定されたサービスが放送されている周波数チャネルの放送信号を検出し、受信信号として出力するＤＡＢフロントエンド２１、ＤＡＢフロントエンド２１が受信した受信信号から受信サービスの音声信号をデコードし、出力セレクタ４に出力するデコーダ２２を備えている。ここで、デコーダ２２は、受信信号に含まれる制御情報を抽出し制御部７に送る処理も行う。
なお、ＤＡＢでは、一つの周波数チャネルで複数の音声放送を放送することができ、一つの音声放送が一つのサービスに対応する。
【００２１】
また、第１ＤＡＢチューナ１は、ＤＡＢの放送規格によるラジオ放送を受信する受信部であり、制御部７から受信サービスとして設定されたサービスが放送されている周波数チャネルの放送信号を検出し、受信信号として出力するＤＡＢフロントエンド１１、デコーダ１２、ダイバーシティ受信処理部１３、セレクタ１４を備えている。そして、ダイバーシティ受信処理部１３は、ＤＡＢフロントエンド１１が出力する受信信号と第２チューナのＤＡＢフロントエンド２１がが出力する受信信号とのＭＲＣ法に基づく合成を行い、合成した受信信号を出力する。そして、セレクタ１４は、ＤＡＢフロントエンド１１が出力する受信信号とダイバーシティ受信処理部１３の出力する受信信号とのうちの一方をデコーダ１２に出力し、デコーダ１２はセレクタ１４から出力された受信信号から、受信サービスの音声信号をデコードし、出力セレクタ４に出力する。また、デコーダ１２は、受信信号に含まれる制御情報を抽出し制御部７に送る処理も行う。
【００２２】
また、ＦＭチューナ３は、ＦＭ放送の放送規格によるラジオ放送を受信する受信部であり、制御部７から受信ステーションとして設定されたステーションの周波数チャネルを受信するＦＭフロントエンド３１、ＦＭフロントエンド３１で受信した受信信号から音声信号を復調し、出力セレクタ４に出力するＦＭ復調部３２、音声信号に多重化されて送信されたデータ信号から制御情報をデコードし制御部７に送るＲＤＳデコーダ３３を備えている。
【００２３】
なお、ＦＭ放送では、一つの周波数チャネルで一つの音声放送を行っており、一つの音声放送が一つのステーションに対応する。
そして、出力セレクタ４は、制御部７の制御に従って、第１ＤＡＢチューナ１、第２ＤＡＢチューナ２、ＦＭチューナ３が各々出力する音声信号のいずれかを選択しアンプ５に出力し、アンプ５はセレクタ１４から出力された音声信号を増幅しスピーカ６に出力する。
【００２４】
ここで、第１ＤＡＢチューナ１のＤＡＢフロントエンド１１やデコーダ１２と、第２ＤＡＢチューナ２のＤＡＢフロントエンド２１やデコーダ２２は、受信電界強度やＳＮ比や受信データの誤り率などの、受信中のＤＡＢのサービスの受信品質に係る情報を制御部７に通知する。また、ＦＭチューナ３の、ＦＭフロントエンド３１は、受信電界強度やＳＮ比などの、受信中のステーションの受信品質に係る情報を制御部７に通知する。
【００２５】
そして、制御部７は、第１ＤＡＢチューナ１や第２ＤＡＢチューナ２から通知されたＤＡＢのサービスの受信品質に係る情報から、第１ＤＡＢチューナ１や第２ＤＡＢチューナ２が受信動作を行っているＤＡＢのサービスの受信品質を算定し、ＦＭチューナ３のＦＭフロントエンド３１から通知されたＦＭ放送の受信品質に係る情報から、ＦＭチューナ３が受信動作を行っているＦＭ放送のステーションの受信品質を算定する。
【００２６】
次に、第１ＤＡＢチューナ１のデコーダ１２や第２ＤＡＢチューナ２のデコーダ２２が制御部７に送る制御情報には、受信中のサービスの識別を示すＳＩＤや、同内容のプログラム（番組）を放送しているＤＡＢサービスやＦＭ放送のステーションを示すサービスリンキング情報やフォローイング情報等が含まれる。また、ＦＭチューナ３は、ＲＤＳデコーダ３３が制御部７に送る制御情報には、受信中の周波数チャネルのステーションからＦＭ放送されるプログラム（番組）の識別子となるプログラム識別子ＰＩや、同内容のプログラム（番組）を放送しているＦＭ放送のステーションを示すＡＦなどが含まれる。
【００２７】
そして、制御部７は、これら第１ＤＡＢチューナ１、第２ＤＡＢチューナ２、ＦＭチューナ３から送られる、これらの制御情報に基づいて、同内容のプログラムを放送しているＤＡＢのサービスや、ＦＭ放送のステーションを識別する。
【００２８】
さて、このようなラジオ放送受信装置は、制御部７によって制御される動作モードとして、ＤＡＢシングル受信モードと、ＤＡＢダイバーシティ受信モードと、ＦＭ受信モードとを備えている。
【００２９】
そして、ＤＡＢシングル受信モードを設定している期間中、制御部７は、第１ＤＡＢチューナ１と第２ＤＡＢチューナ２のうちの一方を現用チューナに、他方をバックグランドチューナに設定し、現用チューナに、受信対象のサービスを受信サービスとして設定することにより、受信対象のサービスの受信を行わせると共に、出力セレクタ４に現用チューナが出力する音声信号をアンプ５を介してスピーカ６に出力させる。また、制御部７は、受信対象のサービスと同内容のプログラムを放送しているＤＡＢのサービスを受信サービスとしてバックグランドチューナに巡回的に設定することにより、受信対象のサービスと同内容のプログラムを放送しているＤＡＢのサービスの各々の受信品質を検出するＤＡＢサーチを行う。なお、ＤＡＢシングル受信モードにおいて、第１ＤＡＢチューナ１のセレクタ１４は、ＤＡＢフロントエンド１１が出力する受信信号をデコーダ１２に出力するように設定する。
【００３０】
また、制御部７は、ＤＡＢシングル受信モードを設定している期間中に、バックグランドチューナを用いたＤＡＢサーチによって、現用チューナで受信中のサービスと同内容のプログラムを放送している、現用チューナで受信中のサービスよりも受信品質の良い他のサービスが発見されたならば、受信対象のサービスを発見された他のサービスに切り替えるＤＡＢフォロー制御動作を行う。なお、ＤＡＢフォロー制御動作は、現用チューナの受信サービスを発見された他のサービスに更新することにより行ってもよいし、バックグランドチューナに発見された他のサービスの受信を開始させた上で、バックグランドチューナと現用チューナとを、スピーカ６の出力音声が切り替え前後でシームレスに連続するように交換することにより行ってもよい。
【００３１】
また、ＤＡＢシングル受信モードを設定している期間中、制御部７は、受信対象のサービスと同内容のプログラムを放送しているＦＭ放送のステーションを受信ステーションとしてＦＭチューナ３に巡回的に設定することにより、受信対象のサービスと同内容のプログラムを放送しているＦＭ放送のステーションの各々の受信品質を検出するＦＭサーチを行う。
【００３２】
次に、ＤＡＢダイバーシティ受信モードを設定している期間中、制御部７は、第１ＤＡＢチューナ１と第２ＤＡＢチューナ２の双方に受信対象のサービスの受信を行わせ、第１ＤＡＢチューナ１のセレクタ１４に、ダイバーシティ受信処理部１３が出力する受信信号をデコーダ１２に出力させ、出力セレクタ４に第１ＤＡＢチューナ１が出力する音声信号をアンプ５を介してスピーカ６に出力させることにより、受信対象のサービスのダイバーシティ受信を行う。
【００３３】
また、ＤＡＢダイバーシティ受信モードを設定している期間中、制御部７は、ＦＭチューナ３を用いて、上述したＦＭサーチを行う。
【００３４】
次に、ＦＭ受信モードを設定している期間中、制御部７は、ＦＭチューナ３に受信対象のステーションの受信を行わせ、出力セレクタ４にＦＭチューナ３にが出力する音声信号をアンプ５を介してスピーカ６に出力させる。
【００３５】
また、ＦＭ受信モードを設定している期間中、制御部７は、第２ＤＡＢチューナ２をバックグランドチューナに設定し、バックグランドチューナを用いて、受信対象のステーションと同内容のプログラムを放送しているＤＡＢのサービスの各々の受信品質を巡回的に検出するＤＡＢサーチを行う。
【００３６】
以下、このような動作モードの切り替えを行うために制御部７が行うモード切替処理について説明する。ここで、このモード切替処理は、ユーザから、放送受信の開始の指示を受け付けたときに開始される。
【００３７】
図２に、このモード切替処理の手順を示す。
図示するようにこの処理では、ＤＡＢシングル受信モードを設定し（ステップ２０２）、ユーザから指定されたサービスや前回最後に受信対象としていたサービスを受信対象のサービスに設定し、受信対象のサービスの受信を開始する（ステップ２０４）。
【００３８】
そして、上述した現用チューナにおける受信対象のサービスの受信品質QCRが所定のしきい値Th1より劣化するのを監視し（ステップ２０６）、受信品質QCRが所定のしきい値Th1より劣化したならば、代替ＤＡＢサービス候補が存在するかどうかを調べる（ステップ２０８）。
【００３９】
ここで、しきい値Th1は、サービスを正常に受信可能でなくなる受信品質に所定のマージンを加えた値を予め設定する。
また、代替ＤＡＢサービス候補とは、現用チューナにおける受信対象のサービスと同内容のプログラムを放送しているＤＡＢのサービスであって、上述のＤＡＢサーチで検出された受信品質が、レベルQa以上であるサービスである。また、レベルQaの値としては、サービスを正常に受信可能な受信品質の最低の値、または、サービスを正常に受信可能な受信品質の最低の値に近い値を予め設定する。
【００４０】
そして、代替ＤＡＢサービス候補が存在する場合には（ステップ２０８）、ステップ２０６からの処理に戻る。
一方、代替ＤＡＢサービス候補が存在しない場合には、動作モードをＤＡＢダイバーシティ受信モードに切り替え（ステップ２１０）、上述したように現用チューナで受信していた受信対象のサービスのダイバーシティ受信を開始する。
【００４１】
そして、ダイバーシティ受信を開始したならば、ＤＡＢダイバーシティ受信モードの継続時間がＴ１（たとえば、240秒）以上となる状態の発生（ステップ２１２）と、第１ＤＡＢチューナ１または第２ＤＡＢチューナ２における受信対象のサービスの受信品質QCRが所定のしきい値Th0より良好である状態の発生（ステップ２１４）と、受信品質QCRが所定のしきい値Th3未満となる状態の発生と（ステップ２１６）、受信品質QCRが所定のしきい値Th2未満となる状態の発生と（ステップ２１８）を監視する。
【００４２】
ここで、Th0＞Th1＞Th2＞Th3であり、Th0はサービスを充分に良好に受信可能な受信品質の最低値であり、Th2はダイバーシティ受信によってもサービスの受信に障害が発生し得る受信品質の最高値であり、Th3はサービスを受信できていないことを示す受信品質である。
【００４３】
そして、ＤＡＢダイバーシティ受信モードの継続時間がＴ１（たとえば、240秒）以上となる状態（ステップ２１２）と、第１ＤＡＢチューナ１または第２ＤＡＢチューナ２における受信対象のサービスの受信品質QCRが所定のしきい値Th0より良好である状態（ステップ２１４）と、受信品質QCRが所定のしきい値Th3未満となる状態（ステップ２１６）とのいずれかが発生したならば、動作モードをＤＡＢシングル受信モードに復帰し（ステップ２２６）、ステップ２０６からの処理に戻る。
【００４４】
一方、受信品質QCRが所定のしきい値Th2未満となる状態が発生した場合には（ステップ２１８）、代替ＦＭステーションが存在するかどうかを調べる（ステップ２２０）。ここで、代替ＦＭステーションとは、ダイバーシティ受信している受信対象のサービスと同内容のプログラムを放送しているＦＭ放送のステーションのうちの、上述のＦＭサーチで検出された受信品質が正常受信可能なレベルのステーションである。
【００４５】
そして、代替ＦＭステーションが存在しない場合には、動作モードをＤＡＢシングル受信モードに復帰し（ステップ２２６）、ステップ２０６からの処理に戻る。
一方、代替ＦＭステーションが存在する場合には、動作モードとしてＦＭ受信モードを設定し、代替ＦＭステーションを受信対象のステーションに設定し、ＦＭチューナ３に受信対象のステーションを受信ステーションとして設定し、代替ＦＭステーションの受信を開始する（ステップ２２２）。
【００４６】
そして、ＦＭ受信モードを設定したならば、代替ＤＡＢサービスの発生を待ち（ステップ２２４）、代替ＤＡＢサービスが発生したならば、動作モードをＤＡＢシングル受信モードに復帰し（ステップ２２６）、代替ＤＡＢサービスを受信対象のサービスに設定し、現用チューナに受信対象のサービスを受信サービスとして設定し、ステップ２０６からの処理に戻る。
【００４７】
ここで代替ＤＡＢサービスとは、ＦＭチューナ３で受信している受信対象のステーションと同内容のプログラムを放送しているＤＡＢのサービスのうちの、上述のＤＡＢサーチで検出された受信品質が充分に良好なレベルのサービスである。
【００４８】
以上、制御部７が行うモード切替処理について説明した。
ここで、このようなモード切替処理によるラジオ放送受信装置の受信動作の例を図３に示す。
いま、図３ｂに示すように、時刻T0において動作モードとしてＤＡＢシングル受信モードが、受信対象のサービスとしてサービスS1が設定されているものとする。また、サービスS1とサービスS2は、同内容のプログラムを放送しているＤＡＢのサービスであるものとする。
【００４９】
このような状況において、図３ａに示すように、サービスS1の受信品質が時間経過と共に劣化していき、サービスS2の受信品質が時間経過と共に向上していった場合、時刻T1において、受信対象のサービスS1の受信品質がしきい値Th1より劣化すると、代替ＤＡＢサービス候補の有無が調査される。時刻T1の時点では、サービスS2の受信品質はレベルQa以上まで向上しているので、サービスS2は代替ＤＡＢサービス候補となり、この時点では、動作モードの切り替えは行われず、ＤＡＢシングル受信モードと、現用チューナにおけるサービスS1の受信対象のサービスとしての受信と、バックグランドチューナにおけるＤＡＢサーチとが継続される。
【００５０】
そして、その後、時刻T2において、ＤＡＢサーチによって、サービスS2の受信品質が受信対象のサービスS1の受信品質より良好となったことが検出されると、受信対象のサービスがサービスS1からサービスS2に切り替えられる。
【００５１】
そして、その後、時刻T3において、受信対象のサービスS2の受信品質がしきい値Th1より良好となると、以降、受信対象のサービスS2の受信が安定的に行われることとなる。
ここで、図３ｃは、比較例として、時刻T1において受信対象のサービスS1の受信品質がしきい値Th1より劣化したときに、動作モードをＤＡＢダイバーシティ受信モードに切り替えた場合の動作を示したものである。
【００５２】
図示するように、時刻T1において動作モードをＤＡＢダイバーシティ受信モードに切り替えた場合には、時刻T1から第１ＤＡＢチューナ１と第２ＤＡＢチューナ２を用いた受信対象のサービスS1のダイバーシティ受信が開始され、バックグランドでのＤＡＢサーチは行われなくなる。
【００５３】
そして、時刻T4において、受信対象のサービスS1の受信品質がしきい値Th3より劣化して受信不可能になると、動作モードがＤＡＢシングル受信モードに復帰し、バックグランドチューナによるＤＡＢサーチが再開される。
【００５４】
そして、ＤＡＢサーチで、受信対象のサービスS1より受信品質が良好なサービスS2が検出されたならば、受信対象のサービスがサービスS1からサービスS2に切り替えられ、サービスS2の受信が開始される。
【００５５】
ここで、図示するように、図３ｃの例では、動作モードをＤＡＢシングル受信モードに復帰してから受信対象のサービスがサービスS2に切り替えられるまでには、ＤＡＢサーチによるサービスS2の発見に要する時間Tdを要し、この時間Tdの間はサービスを受信しユーザに対して出力することができなくなる。
【００５６】
一方、本実施形態によれば、図３ａの状況に対しては、図３ｂに示したようにサービスを受信しユーザに対して出力することができなくなる状況は発生しない。
なお、図３ａに示した状況において、受信対象のサービスS1と同内容の番組を放送しているサービスS2が存在していない場合には、時刻T1において、即座に動作モードがＤＡＢダイバーシティ受信モードに切り替えられ、時刻T1から第１ＤＡＢチューナ１と第２ＤＡＢチューナ２を用いた受信対象のサービスS1のダイバーシティ受信が開始されることとなる。
【００５７】
以上、本発明の実施形態について説明した。
ところで、以上の実施形態は、ＤＡＢ（Digital Audio Broadcasting）のダイバーシティ受信と同内容の番組を放送している放送サービスへの自動切替（フォロー）を行う場合について示したが、本実施形態は、ＲＤＳによるデータ放送を伴うＦＭ放送やデジタルテレビ放送などの、ＤＡＢ以外の他の放送のダイバーシティ受信とフォローを行う場合についても同様に適用することができる。
【符号の説明】
【００５８】
１…第１ＤＡＢチューナ、２…第２ＤＡＢチューナ、３…ＦＭチューナ、４…出力セレクタ、５…アンプ、６…スピーカ、７…制御部、８…表示部、９…操作部、１１…ＤＡＢフロントエンド、１２…デコーダ、１３…ダイバーシティ受信処理部、１４…セレクタ、２１…ＤＡＢフロントエンド、２２…デコーダ、３１…ＦＭフロントエンド、３２…ＦＭ復調部、３３…ＲＤＳデコーダ。
【図１】
0006605310.tif 000002
【図２】
0006605310.tif 000003
【図３】
0006605310.tif 000004